(57)【要約】【課題】蛍光光源を用いた画像読取装置における原稿の読み取り動作に対する信頼性の向上を図ること。【解決手段】反射型の原稿あるいはフィルムの画像を読み取る指示操作がおこなわれることによる、読み取り指示があった場合（ステップＳ７０１：Ｙｅｓ）には、ＬＥＤを点灯させる。そして、指示操作に応じて、反射型の原稿の読み取り指示であった場合（ステップＳ７０８：Ｙｅｓ）には、反射用光源を点灯させ（ステップＳ７０９）、ＬＥＤを消灯させて（ステップＳ７１０）から、原稿の読み取り動作をおこなう（ステップＳ７１１）。これにより、反射用光源における水銀やアルゴンなどのガスの蒸発を促進し、反射用光源における電極から飛び出した電子と水銀との衝突に起因する紫外線の発生を促進することで、反射用光源を確実に点灯させることができる。【選択図】図７
2007318589.tif 000002
【特許請求の範囲】
【請求項１】
原稿を保持する原稿台に光を照射する蛍光光源と、
前記蛍光光源から照射されて前記原稿台を経由した光を受光する撮像素子と、
前記蛍光光源に対して光を照射するＬＥＤ光源と、
原稿の読み取り指示があった場合に、前記ＬＥＤ光源を点灯させてから前記蛍光光源を点灯させる点灯制御手段と、
を備えることを特徴とする画像読取装置。
【請求項２】
前記蛍光光源は、前記原稿台に対して前記撮像素子と同じ側に設けられており、
前記ＬＥＤ光源は、前記原稿台を間にして前記撮像素子に対向配置されていることを特徴とする請求項１に記載の画像読取装置。
【請求項３】
前記撮像素子および前記ＬＥＤ光源は、所定方向に往復移動可能に設けられていることを特徴とする請求項２に記載の画像読取装置。
【請求項４】
前記原稿台に対して前記ＬＥＤ光源と同じ側に設けられて前記原稿台に光を照射する副蛍光光源を備え、
前記ＬＥＤ光源は、さらに、前記副蛍光光源に対して光を照射し、
前記点灯制御手段は、原稿の読み取り指示があった場合に、前記ＬＥＤ光源を点灯させてから前記蛍光光源または前記副蛍光光源を点灯させることを特徴とする請求項２または３に記載の画像読取装置。
【請求項５】
請求項１〜４のいずれか一つに記載の画像読取装置と、
前記画像読取装置が備える撮像素子に入射された光の強弱に応じた画像を被記録媒体上に形成する画像形成装置と、
を備えることを特徴とする複合機。
【発明の詳細な説明】
【技術分野】
【０００１】
この発明は、画像読取装置および複合機に関する。
【背景技術】
【０００２】
従来、光源から原稿に照射された光を撮像素子に結像させ、撮像素子に結像させた光の強弱を検出することによって、原稿の画像を光学的に読み取る画像読取装置がある。このような画像読取装置では、たとえば、蛍光ランプなどのように蛍光物質を発光させることで原稿を照射する光源として用いたものがある（たとえば、下記特許文献１参照。）。
【０００３】
【特許文献１】特開平７−２３１３７８号公報
【発明の開示】
【発明が解決しようとする課題】
【０００４】
しかしながら、上述した従来の技術では、画像読取装置が長時間使用されずに蛍光光源が暗闇中に長時間放置された場合に、以降の読み取り動作において蛍光光源を点灯させる動作をおこなっても点灯しないことがあり、原稿の読み取り動作に対する信頼性が疑わしいという問題がある。
【課題を解決するための手段】
【０００５】
この発明にかかる画像読取装置は、原稿を保持する原稿台に光を照射する蛍光光源と、前記蛍光光源から照射されて前記原稿台を経由した光を受光する撮像素子と、前記蛍光光源に対して光を照射するＬＥＤ光源と、原稿の読み取り指示があった場合に、前記ＬＥＤ光源を点灯させてから前記蛍光光源を点灯させる点灯制御手段と、を備えることを特徴とする。
【０００６】
ここで、蛍光灯などの蛍光光源は、一般的に、内壁に蛍光物質が塗布されたガラス管と、当該ガラス管の両端に取り付けられた電極（フィラメント）から構成されている。ガラス管の内部には少量の水銀とアルゴンなどのガスが封入されており、電極には電子放射物質が塗布してある。
【０００７】
蛍光光源は、電極に電流が流れることによってフィラメントから飛び出した電子とガラス管の内部に封入されている気体の水銀とを衝突させることによって発生させた紫外線を、ガラス管の内側に塗布された蛍光物質に当てることによってガラス管外に可視光線を放つ。
【０００８】
したがって、画像読取装置においては、点灯前の蛍光光源に対してＬＥＤ光源から光を照射することで蛍光光源における水銀やアルゴンなどのガスの蒸発を促進し、電極から飛び出した電子と水銀との衝突に起因する紫外線の発生を促進することで、蛍光光源を確実に点灯させることができる。
【０００９】
これによって画像読取装置は、原稿の読み取り動作に対する信頼性の向上を図ることができる。そして、これによって利用者は、画像読取装置を快適に利用することができる。
【００１０】
また、この発明にかかる画像読取装置における前記蛍光光源は、前記原稿台に対して前記撮像素子と同じ側に設けられており、前記ＬＥＤ光源は、前記原稿台を間にして前記撮像素子に対向配置されていることを特徴とする。
【００１１】
ここで、光透過型の原稿を反射型の原稿と同じ読取機構を用いて読み取った場合、撮像素子には光透過型の原稿を２回透過することで、原稿の厚み分に応じたずれをもって原稿画像が二重に重なった画像光が結像されるため、元の原稿に対する画像データの精度が低くなってしまうという問題がある。
【００１２】
これに対し、この発明にかかる画像読取装置においては、ＬＥＤ光源を利用して光透過型の原稿を読み取ることができる。これによって画像読取装置は、原稿の読み取りを精度よくおこなうことができる。そして、これによって利用者は、原稿の画像を精度よく再現した画像データを得ることができる。
【００１３】
また、この発明にかかる画像読取装置における前記撮像素子および前記ＬＥＤ光源は、所定方向に往復移動可能に設けられていることを特徴とする。
【００１４】
したがって、画像読取装置においては、ＬＥＤ光源が単独で照射する照射面積よりも広い面積を照射することができる。これによって画像読取装置は、照射面積を狭めることなくＬＥＤ光源を小型化し、ＬＥＤ光源の小型化にともなう画像読取装置の小型化を図ることができる。そして、これによって利用者は、小型の画像読取装置を利用することができる。
【００１５】
また、この発明にかかる画像読取装置は、前記原稿台に対して前記ＬＥＤ光源と同じ側に設けられて前記原稿台に光を照射する副蛍光光源を備え、前記ＬＥＤ光源は、さらに、前記副蛍光光源に対して光を照射し、前記点灯制御手段は、原稿の読み取り指示があった場合に、前記ＬＥＤ光源を点灯させてから前記蛍光光源または前記副蛍光光源を点灯させることを特徴とする。
【００１６】
したがって、蛍光光源を用いた反射型の原稿の読み取りであっても、副蛍光光源を用いた光透過型の原稿の読み取りであっても、蛍光光源あるいは副蛍光光源における水銀やアルゴンなどのガスの蒸発を促進し、電極から飛び出した電子と水銀との衝突に起因する紫外線の発生を促進することで、蛍光光源および副蛍光光源のいずれも確実に点灯させることができる。
【００１７】
これによって画像読取装置は、読み取り対象とする原稿の種類に拘わらず、原稿の読み取り動作に対する信頼性の向上を図ることができる。そして、これによって利用者は、画像読取装置を快適に利用することができる。
【００１８】
また、この発明にかかる複合機は、上述した画像読取装置と、前記画像読取装置が備える撮像素子に入射された光の強弱に応じた画像を被記録媒体上に形成する画像形成装置と、を備えることを特徴とする。
【００１９】
したがって、複合機においては、原稿の読み取り動作に対する信頼性の高い画像読取装置を用いて読み取った原稿の画像を、被記録媒体に形成することができる。これによって画像読取装置は、複合機における動作の信頼性の向上を図ることができる。そして、これによって利用者は、複合機を快適に利用することができる。
【発明を実施するための最良の形態】
【００２０】
（実施の形態１）
以下に添付図面を参照して、この発明にかかる画像読取装置の好適な実施の形態１を詳細に説明する。この実施の形態１は、この発明にかかる画像読取装置を実現するスキャナ装置への適用例を示す。
【００２１】
図１は、実施の形態１にかかるスキャナ装置の外観を示す斜視図である。はじめに、図１を用いて、実施の形態１にかかるスキャナ装置の外観について説明する。図１に示すように、スキャナ装置１００は、本体ユニット１１０と、透過型原稿用光源ユニット（以下、「ＴＰＵユニット」という）１２０と、を備えている。実施の形態１においては、ＴＰＵユニット１２０によってカバー部材が実現されている。
【００２２】
ＴＰＵユニット１２０は、本体ユニット１１０に対して対向配置されており、ヒンジ部（図３参照）を介して、本体ユニット１１０に連結されている。ＴＰＵユニット１２０は、ヒンジ部を支点にして、図１に示す状態から本体ユニット１１０に対して離反する方向に回動可能に連結されている。
【００２３】
図２は、実施の形態１にかかるスキャナ装置１００の縦断正面図である。つぎに、図２を用いて、実施の形態１のスキャナ装置１００の概略構成について説明する。図２に示すように、スキャナ装置１００は、本体ユニット１１０の外郭をなす本体ハウジング２１０と、ＴＰＵユニット１２０の外郭をなすＴＰＵハウジング２３０と、を備えている。
【００２４】
本体ハウジング２１０およびＴＰＵハウジング２３０は、それぞれ、上下方向に分離可能な２つのパーツを主体として形成されている。格別な符号は省略するが、以降、適宜、本体ハウジング２１０およびＴＰＵハウジング２３０の上側を構成する部分を、上側本体ハウジング、上側ＴＰＵハウジングとして説明する。同様に、本体ハウジング２１０およびＴＰＵハウジング２３０の下側を構成する部分を、下側本体ハウジング、下側ＴＰＵハウジングとして説明する。
【００２５】
はじめに、本体ユニット１１０の概略構成について説明する。本体ユニット１１０における本体ハウジング２１０は、ＴＰＵハウジング２３０に向かって開口する開口部２１１を備えている。開口部２１１には、開口部２１１を閉塞するように原稿台としての原稿台ガラス２１２が設けられている。
【００２６】
この実施の形態１では、開口部２１１および原稿台ガラス２１２によって読取窓が実現され、本体ハウジング２１０における開口部２１１周辺部によって枠部材が実現されている。原稿台ガラス２１２上には、読み取り対象となる原稿が載置される。
【００２７】
本体ハウジング２１０および原稿台ガラス２１２によって形成される空間２１３には、原稿台ガラス２１２に載置された原稿の画像を光学的に読み取るための光学部材２１４が設けられている。光学部材２１４としては、原稿台ガラス２１２に向けて光を照射する反射用光源２１５、反射用光源２１５から照射され原稿において反射された光を所定の経路に導く複数のミラー２１６、ミラー２１６によって導かれた光を受光する撮像素子２１７、ミラー２１６によって導かれた光を撮像素子２１７に結像させるレンズ２１８などが挙げられる。
【００２８】
図示を省略するが、実施の形態１における反射用光源２１５は、内壁に蛍光物質が塗布されたガラス管と、当該ガラス管の両端に取り付けらた電極（フィラメント）と、から構成されている。反射用光源２１５が備えるガラス管の内部には、少量の水銀とアルゴンなどのガスが封入されている。また、反射用光源２１５が備える電極には、電子放射物質が塗布してある。
【００２９】
反射用光源２１５は、電極に電流が流れることによってフィラメントから飛び出した電子とガラス管の内部に封入されている気体の水銀をと衝突させることによって発生させた紫外線を、ガラス管の内側に塗布された蛍光物質に当てることによって蛍光管外に可視光線を放つ。第１の実施の形態においては、反射用光源２１５によって蛍光光源が実現されている。
【００３０】
撮像素子２１７としては、たとえば、受光面に結像された光学像を光電変換して、素子ごとの受光量に応じた電気信号を出力するフォトダイオードを用いることが可能である。スキャナ装置１００においては、前述のフォトダイオードが、走査回路基板２１９上において、主走査方向に沿って直線的に配列されたリニアイメージセンサが、撮像素子２１７として用いられている。
【００３１】
また、空間２１３には、スキャナキャリッジ２２０が設けられている。スキャナキャリッジ２２０は、原稿台ガラス２１２と平行であって、かつ、副走査方向に延出するキャリッジガイド２２１に沿って摺動自在に設けられている。
【００３２】
スキャナキャリッジ２２０には、駆動源としてのモータ２２２に連結された撮像素子移動機構２２３を介して、駆動源としてのモータ２２２で発生させた駆動力が伝達される。説明は後述するが、撮像素子移動機構２２３は、モータ２２２の駆動軸に連結されたギア列や、ギア列を構成するギアと従動ギア２２４との間に架けられた駆動ベルト２２５などによって構成されている（図３参照）。スキャナキャリッジ２２０は、駆動ベルト２２５に連結されている。
【００３３】
スキャナキャリッジ２２０は、モータ２２２で発生させた駆動力が撮像素子移動機構２２３を介して伝達されることによって、原稿台ガラス２１２に沿って副走査方向に移動する。スキャナキャリッジ２２０は、原稿の読み取りを開始する側の端部位置に設定されたホームポジションと、原稿を読み取った後ホームポジションに向けて折り返す位置に設定された折り返しポジションとの間を往復移動する。
【００３４】
上述した光学部材２１４は、スキャナキャリッジ２２０に搭載されている。光学部材２１４は、スキャナキャリッジ２２０の移動にともなって、原稿台ガラス２１２に沿って副走査方向に移動する。
【００３５】
つぎに、ＴＰＵユニット１２０の概略構成について説明する。ＴＰＵユニット１２０におけるＴＰＵハウジング２３０には、本体ハウジング２１０に対向する側に、本体ハウジング２１０に向かって開口する開口部２３１が設けられている。また、ＴＰＵハウジング２３０は、開口部２３１を覆う位置に、保護マット２３２が設けられている。保護マット２３２は、ＴＰＵハウジング２３０に対して着脱自在に設けられている。
【００３６】
ＴＰＵハウジング２３０には、光源としての透過用光源部（図３参照）が設けられている。透過用光源部は、写真用フィルムなどのような光透過型の原稿の読み取り動作に際して使用され、原稿台ガラス２１２に向けて光を照射する。透過用光源部は、原稿台ガラス２１２に沿って副走査方向に移動可能に設けられている。
【００３７】
ＴＰＵハウジング２３０には、上述したモータ２２２の駆動力を透過用光源部に伝達する光源移動機構としての動力伝達機構（図３参照）が設けられている。詳細な図示および説明を省略するが、ＴＰＵユニット１２０に設けられた動力伝達機構は、たとえば、撮像素子移動機構２２３に連結されたプーリ群や駆動ベルト２３３および駆動ベルト２３３が架けられたギア対などによって構成されている（一部図３参照）。
【００３８】
この実施の形態１において、ＴＰＵハウジング２３０に設けられた動力伝達機構は、保護マット２３２がＴＰＵハウジング２３０から取り外されている場合にモータ２２２に連結され、モータ２２２の駆動力を透過用光源部に伝達するように構成されている。これにより、透過用光源部は、保護マット２３２がＴＰＵハウジング２３０から取り外されている場合に限って、スキャナキャリッジ２２０とともに、モータ２２２の駆動力を受けて副走査方向に沿って移動する。
【００３９】
透過用光源部は、原稿の照射を開始する側の端部位置に設定されたホームポジションと、原稿を照射後ホームポジションに向けて折り返す位置に設定された折り返しポジションとの間を往復移動する。
【００４０】
フィルムのような光透過型の原稿（以下、「フィルム」という）の読み取り動作に際しては、原稿台ガラス２１２の上、すなわち、本体ユニット１１０とＴＰＵユニット１２０の間にフィルムフォルダ２４０が設置される。フィルムフォルダ２４０は、原稿台ガラス２１２上におけるフィルム用の読取位置にフィルムが設置されるように、フィルムの設置位置を案内するとともに、設置されたフィルムを読取位置に固定する部材である。
【００４１】
図３は、スキャナ装置１００を一部断面して示す斜視図である。図３においては、ＴＰＵハウジング２３０における上側ＴＰＵハウジングを取り外し、本体ハウジング２１０の一部を断面した状態が示されている。図３中符号３００は、本体ユニット１１０とＴＰＵユニット１２０とを連結するヒンジ部である。以下に、図３を用いて、モータ２２２の駆動力が伝達される各部について説明する。
【００４２】
図３に示すように、本体ハウジング２１０に設けられた撮像素子移動機構２２３は、モータ２２２の駆動軸に固定されたギア３０１、ギア３０１に連結されたギア列３０２〜３０６によって構成されている。ギア３０６の回転軸心となる軸には、上述した駆動ベルト２２５が架けられたギアが設けられている。
【００４３】
撮像素子移動機構２２３は、モータ２２２において発生された駆動力を、ギア３０１〜３０６を介して駆動ベルト２２５に伝達することで、駆動ベルト２２５を回転させる。これによって、駆動ベルト２２５に連結されたスキャナキャリッジ２２０を、副走査方向に沿って移動させることができる。
【００４４】
また、ギア３０６の回転軸心となる軸には、当該軸を回転軸心とするプーリ３０７が設けられている。プーリ３０７には、プーリ３０７の回転にともなって回転する複数のプーリ３０８〜３１０を介して、ギア３１１が連結されている。ギア３１１は、本体ハウジング２１０の上面においてＴＰＵユニット１２０側に向けて開口する開口部３１２、３１３を介してＴＰＵユニット１２０側に設けられたギア３１４と分離可能に噛み合わされる。
【００４５】
ギア３１１は、プーリ３０８〜３１０を介してモータ２２２の駆動力が伝達されることによって、プーリ３０８〜３１０の軸心方向と平行な軸心回りに回転する。ギア３１４は、ギア３１１の軸心方向と平行な軸心回りに回転自在に設けられており、ギア３１１の回転にともなって同方向に回転する。ここに、プーリ３０７〜３１０、ギア３１１、開口部３１２，３１３およびギア３１４によって連結機構３１５が構成されている。
【００４６】
連結機構３１５の一部を構成するプーリ３０８，３０９は同一軸心回りに回転する。プーリ３０８，３０９は、トルクリミッタ３１６の一部を構成する。トルクリミッタ３１６において、プーリ３０８はプーリ３０７に連結されており、プーリ３０９はギア３１１と同一軸心回りに回転するプーリ３１０に連結されている。
【００４７】
詳細な構造についての説明は後述するが、トルクリミッタ３１６は、撮像素子移動機構２２３からプーリ３０７を介して伝達されたトルクが所定より大きい場合に、所定の大きさ以上のトルクがプーリ３１０を介して動力伝達機構に伝達されないように遮断するトルクリミッタ機能を有している。
【００４８】
ここで、所定の大きさのトルクとは、透過用光源部を移動させるために必要なトルクである。トルクリミッタ３１６によって、撮像素子移動機構２２３側から所定の大きさ以上のトルクが伝達された場合にも、動力伝達機構および透過用光源部の破損を防止することができる。
【００４９】
ＴＰＵハウジング２３０には、上述した駆動ベルト２３３が架けられたギア対における一方のギア３１７とギア３１４とを連結するプーリ群３１８が設けられている。ギア対における他方のギア３１９は、駆動ベルト２３３の回転に従動して回転する。ギア３１７とギア３１９とは、副走査方向に沿って対向配置されている。上述した光源移動機構としての動力伝達機構は、駆動ベルト２３３、ギア３１７，３１９によって構成されている。
【００５０】
図３中符号３２０は、ギア３１７、ギア３１４、プーリ群３１８を構成するプーリなどの軸を支持するステイである。ギア３１４は、ステイ３２０に対して接離可能に設けられている（図５および図６参照）。これにより、ギア３１１とギア３１４とを分離可能に連結させることができる。
【００５１】
また、図３中符号３２１は、上述した透過用光源部を示している。透過用光源部３２１は、透過用光源部３２１に設けられた固定部３２２において、駆動ベルト２３３に連結されている。これにより、透過用光源部３２１は、駆動ベルト２３３の回転にともなって副走査方向に沿って移動する。
【００５２】
ＴＰＵハウジング２３０には、駆動ベルト２３３の側方であって、かつ、透過用光源部３２１の移動軌跡に重複する位置において、副走査方向に沿って延出するガイドレール３２３が設けられている。ガイドレール３２３には、透過用光源部３２１において、ガイドレール３２３に対向する位置に設けられた溝３２４が嵌め込まれる。これによって、透過用光源部３２１を副走査方向に沿って安定して移動させることができる。
【００５３】
透過用光源部３２１から照射された光は、ＴＰＵハウジング２３０に設けられた開口部３２５を介して、原稿台ガラス２１２側に導かれる。開口部３２５は、透過用光源部３２１によって照射可能な範囲のうち、フィルムの読み取り範囲をカバーするように設けられている。図３中符号３２６は、透過用光源部３２１において溝３２４とは反対側の側方に設けられた溝（図４参照）が嵌め込まれるガイド部材である。
【００５４】
図４は、透過用光源部３２１を示す分解斜視図である。つぎに、図４を用いて、透過用光源部３２１の構成について説明する。図４に示すように、透過用光源部３２１は、ＬＥＤ光源としてのＬＥＤ４０１と、ＬＥＤ４０１によって発光された光を伝播させる導光板４０２と、を備えている。導光板４０２によって、ＬＥＤ１個あたりの照射面積よりも広い面積を照射することができる。なお、図４中、導光板４０２に表記された仮想線は、導光板４０２における有効発光エリアを示している。
【００５５】
導光板４０２中を伝播された光は、拡散シート４０３およびプリズムシート４０４を介して、支持フレーム４０５に設けられた開口部４０６から、原稿台ガラス２１２に向けて照射される。拡散シート４０３およびプリズムシート４０４を介することにより、導光板４０２中を伝播された光をより広い面積に照射することができる。
【００５６】
透過用光源部３２１において、導光板４０２を間にして開口部４０６とは反対側には、導光板４０２中を伝播された光を開口部４０６へ向けて反射させる反射板４０７が設けられている。反射板４０７を設けることによって、導光板４０２中を伝播された光を、効率よく原稿台ガラス２１２側へ照射することができる。上述した固定部３２２は、支持フレーム４０５の側方に設けられており、原稿台ガラス２１２側から駆動ベルト２３３を狭持するように、上方に向けて開口している。
【００５７】
図５は連結機構３１５を拡大して示す斜視図（その１）、図６は連結機構３１５を拡大して示す斜視図（その２）である。図５は、ギア３１１とギア３１４とが連結された状態を示している。図６は、ギア３１１とギア３１４とが離間された状態を示している。図５および図６から分かるように、連結機構３１５におけるギア３１４は、ステイ３２０から離間している場合にギア３１１に連結され、ステイ３２０近傍に位置している場合にギア３１１から離間される。
【００５８】
また、図５および図６から分かるように、連結機構３１５におけるギア３１４には、本体ユニット１１０に向けて突出するギア歯５０１が設けられている。連結機構３１５におけるギア３１１には、ギア歯５０１が噛み合わされる凹部６０１が形成されている。凹部６０１の間に位置し、凹部６０１を形成するリブ６０２の上部は、中央部程ギア３１３側へ突出する山形形状とされている。これによって、ギア３１１とギア３１４とがスムーズに噛み合うように、ギア歯５０１を凹部６０１に誘導することができる。
【００５９】
図示を省略するが、スキャナ装置１００は、上述した構成に加えて、利用者による各種指示操作を受け付ける操作パネルを備えている。操作パネルでは、紙などの光を透過しない原稿（反射型の原稿）の画像を読み取る指示操作や、フィルムの画像を読み取る指示操作などを受け付ける。
【００６０】
同様に図示を省略するが、スキャナ装置１００は、スキャナ装置１００における各部を駆動制御する各種制御回路や、操作パネルによって受け付けた指示操作に応じて各種制御回路を制御する制御系などを備えている。各種制御回路および制御系は、上述した反射用光源２１５および透過用光源部３２１を点灯あるいは消灯（以下、「点灯／消灯」という）させるように制御する点灯制御部としての機能を実現する。
【００６１】
加えて、図示を省略するが、スキャナ装置１００は、パーソナルコンピュータなどの外部装置との間で通信をおこなう通信Ｉ／Ｆを備えていてもよい。この場合、スキャナ装置１００は、パーソナルコンピュータにおいて受け付けた指示操作に応じたコマンドを、通信Ｉ／Ｆを介して受信する。
【００６２】
スキャナ装置１００は、操作パネルを介して受け付けた指示操作や、通信Ｉ／Ｆを介して受信したコマンドに応じて、スキャナキャリッジ２２０を移動させたり、反射用光源２１５や透過用光源部３１８を点灯／消灯させたり、撮像素子２１７に結像された光を光電変換することによって画像データを生成したりする。この実施の形態１においては、画像データを生成するために関わる各部および当該各部によっておこなわれる各種処理によって、画像データ生成手段としての機能が実現される。
【００６３】
スキャナ装置１００は、生成された画像データを、任意の記憶媒体に記憶するようにしてもよいし、通信Ｉ／Ｆを介してパーソナルコンピュータなどの外部装置に送信するようにしてもよい。この実施の形態１においては、生成された画像データを、外部装置に送信するために関わる各部および当該各部によっておこなわれる各種処理によって、出力手段としての機能が実現される。
【００６４】
このような構成を備えたスキャナ装置１００によって反射型の原稿の画像を読み取る場合、利用者は、原稿台ガラス２１２上に読み取り対象とする原稿を設置する。つづいて、図１あるいは図２に示したように、ＴＰＵユニット１２０を本体ユニット１１０に対向させる。
【００６５】
これに対し、フィルムの画像を読み取る場合、利用者は、原稿台ガラス２１２上にフィルムフォルダ２４０を設置し、フィルムフォルダ２４０によって案内される所定の位置にフィルムを設置する。また、利用者は、フィルムの設置に前後して、ＴＰＵハウジング２３０から保護マット２３２を取り外す。
【００６６】
つづいて、反射型の原稿あるいはフィルムのいずれであっても、図１あるいは図２に示したように、ＴＰＵユニット１２０を本体ユニット１１０に対向させる。これにより、連結機構３１５におけるギア３１１とギア３１４とが噛み合わされ、透過用光源部３２１と撮像素子移動機構２２３とが連結される。
【００６７】
そして、反射型の原稿あるいはフィルムの画像を読み取る指示操作をおこなう。指示操作は、スキャナ装置１００が備える操作パネルを介しておこなってもよいし、パーソナルコンピュータなどの外部装置においておこなってもよい。指示操作がおこなわれた場合、スキャナ装置１００は、以下に説明する光源点灯処理手順をおこなう。
【００６８】
図７は、スキャナ装置１００の光源点灯処理手順を示すフローチャートである。つぎに、図７を用いて、スキャナ装置１００の光源点灯処理手順について説明する。図７に示すフローチャートにおいて、まず、反射型の原稿あるいはフィルムの画像を読み取る指示操作がおこなわれることによる、読み取り指示があるまで待って（ステップＳ７０１：Ｎｏ）、読み取り指示があった場合（ステップＳ７０１：Ｙｅｓ）には、ＬＥＤ４０１を点灯させる（ステップＳ７０２）とともに、モータ２２２を駆動させて（ステップＳ７０３）、スキャナキャリッジ２２０を黒基準読取位置に移動させる。
【００６９】
ここで、黒基準読取位置とは、黒色の基準となる黒基準データを取得するためのスキャナキャリッジ２２０の位置である。撮像素子２１７が黒基準読取位置まで移動したタイミングで、撮像素子２１７の受光量を検出する（ステップＳ７０４）。黒基準データは、ステップＳ７０４において検出された受光量に基づいて生成される。
【００７０】
つづいて、モータ２２２を駆動させて（ステップＳ７０５）、スキャナキャリッジ２２０を白基準読取位置に移動させる。ここで、白基準読取位置とは、白色の基準となる白基準データを取得するためのスキャナキャリッジ２２０の位置である。撮像素子２１７が白基準読取位置まで移動したタイミングで、撮像素子２１７の受光量を検出する（ステップＳ７０６）。白基準データは、ステップＳ７０６において検出された受光量に基づいて生成される。
【００７１】
つづいて、ステップＳ７０４およびステップＳ７０６において検出された各受光量に基づいて、シェーディング補正のための補正用データを生成する（ステップＳ７０７）。補正用データは、黒基準データおよび白基準データを用いて生成される。公知の技術であるため説明を省略するが、シェーディング補正とは、照射位置による照射光量のムラに起因する画像データの明暗のムラを補正することである。
【００７２】
具体的に、ステップＳ７０７においてスキャナ装置１００は、ステップＳ７０４およびステップＳ７０６において撮像素子２１７に結像された光を光電変換することによって得られるアナログデータを、それぞれデジタルデータに変換することによって、黒基準データおよび白基準データを生成する。
【００７３】
つづいて、ステップＳ７０１：Ｙｅｓにおける読み取り指示が、反射型の原稿の読み取り指示であったか否かを判断する（ステップＳ７０８）。反射型の原稿の読み取り指示ではなかった場合（ステップＳ７０８：Ｎｏ）には、ステップＳ７１１へ移行する。反射型の原稿の読み取り指示であった場合（ステップＳ７０８：Ｙｅｓ）には、反射用光源２１５を点灯させ（ステップＳ７０９）、ＬＥＤ４０１を消灯させる（ステップＳ７１０）。
【００７４】
その後、原稿の読み取り動作をおこなって（ステップＳ７１１）、一連の処理を終了する。ステップＳ７１１における読み取り動作とは、モータ２２２を駆動してスキャナキャリッジ２２０を副走査方向に往復移動させる動作を含み、ステップＳ７１０を経由したかステップＳ７０８：Ｎｏを経由したかに応じて、スキャナキャリッジ２２０に連動させて透過用光源部３２１を副走査方向に往復移動させる動作である。
【００７５】
具体的に、ステップＳ７１１においては、ステップＳ７１０を経由した場合、反射用光源２１５を点灯させた状態でスキャナキャリッジ２２０および透過用光源部３２１を副走査方向に往復移動させる。これによって、反射用光源２１５から原稿台ガラス２１２に載置された原稿に照射され、原稿によって反射された光が撮像素子２１７に入射する。
【００７６】
また、具体的に、ステップＳ７１１においては、ステップＳ７０８：Ｎｏを経由した場合、ＬＥＤ４０１を点灯させた状態でスキャナキャリッジ２２０および透過用光源部３２１を副走査方向に往復移動させる。これによって、ＬＥＤ４０１から原稿台ガラス２１２に載置された原稿（フィルム）に照射され、原稿（フィルム）を透過した光が撮像素子２１７に入射する。
【００７７】
そして、スキャナ装置１００は、撮像素子２１７における受光量を検出し、検出された受光量に基づいて画像データを生成する。ステップＳ７１１においては、上述した補正用データに基づいて、画像データの明暗のムラを補正した画像データを生成する。スキャナ装置１００は、生成された画像データを、任意の記憶媒体に記憶するようにしてもよいし、通信Ｉ／Ｆを介してパーソナルコンピュータなどの外部装置に送信するようにしてもよい。
【００７８】
上述したように、実施の形態１のスキャナ装置１００によれば、点灯前の反射用光源２１５に対してＬＥＤ４０１から光を照射することで、反射用光源２１５における水銀やアルゴンなどのガスの蒸発を促進し、電極から飛び出した電子と水銀との衝突に起因する紫外線の発生を促進することで、反射用光源２１５を確実に点灯させることができる。
【００７９】
これによってスキャナ装置１００は、反射型の原稿であってもフィルムであっても、原稿の種類に拘わらず、原稿の読み取り動作に対する信頼性の向上を図ることができる。そして、これによって利用者は、スキャナ装置１００を快適に利用することができる。
【００８０】
また、実施の形態１のスキャナ装置１００によれば、ＬＥＤ４０１を利用してフィルムを読み取ることができるので、フィルムの読み取りを精度よくおこなうことができる。そして、これによって利用者は、フィルムの画像を精度よく再現した画像データを得ることができる。
【００８１】
また、実施の形態１のスキャナ装置１００によれば、透過用光源部３２１が副走査方向に往復移動するため、単一のＬＥＤ４０１を用いる場合にも、ＬＥＤ４０１が単独で照射する照射面積よりも広い面積を照射することができる。これによってスキャナ装置１００は、照射面積を狭めることなく透過用光源部３２１を小型化し、透過用光源部３２１の小型化にともなうスキャナ装置１００の小型化を図ることができる。そして、これによって利用者は、小型のスキャナ装置１００を利用することができる。
【００８２】
また、実施の形態１のスキャナ装置１００によれば、透過用光源部３２１および撮像素子２１７を、単一のモータ２２２の駆動力を用いて連動させることができる。これによってスキャナ装置１００は、消費電力の低減およびスキャナ装置１００の小型化を図ることができる。そして、これによって利用者は、小型のスキャナ装置１００を利用することができる。
【００８３】
また、実施の形態１のスキャナ装置１００によれば、ステップＳ７０２においてＬＥＤ４０１を点灯した後にスキャナキャリッジ２２０を黒基準読取位置に移動させて、撮像素子２１７の受光量を検出することで、黒基準データの生成のための撮像素子２１７における受光量の検出と、反射用光源を確実に点灯させるための前処理と、を並行しておこなうことができるので、原稿の読み取り動作をおこなうまでの時間を短くすることができる。これによって、スキャナ装置１００は、原稿の読み取り動作が終るまでに利用者を待たせる待機時間の短縮を図ることができる。そして、これによって利用者は、必要最小限の待機時間で原稿の画像データを得ることができる。
【００８４】
（実施の形態２）
つぎに添付図面を参照して、この発明にかかる画像読取装置の好適な実施の形態２を詳細に説明する。この実施の形態２も、上述した実施の形態１と同様、この発明にかかる画像読取装置を実現するスキャナ装置への適用例を示す。実施の形態２においては、上述した実施の形態１との相違点を説明する。なお、実施の形態１と同一部分は同一符号で示し、説明も省略する。
【００８５】
図示を省略するが、実施の形態２のスキャナ装置１００のＴＰＵユニット１２０は、透過用光源部３２１に代えて、ＴＰＵハウジング２３０の内部に設けられた副蛍光光源としての透過用光源を備えている。この透過用光源は、上述した反射用光源２１５と同様に、ガラス管の内側に塗布された蛍光物質に紫外線を当てることによって蛍光管外に可視光線を放つ。
【００８６】
透過用光源は、ＴＰＵハウジング２３０の内部であって開口部２３１に対向する位置に、ガラス管の軸心方向を副走査方向に平行にした状態で設けられている。これにより、透過用光源が点灯されると、透過用光源から発光された光が、開口部２３１を介して原稿台ガラス２１２側へ照射される。
【００８７】
また、透過用光源は、軸心方向の長さが、開口部２３１の副走査方向における長さと同等あるいはそれ以上となるような大きさを備えている。これにより、開口部２３１全体から、原稿台ガラス２１２に対して光を照射させることができる。
【００８８】
また、実施の形態２のスキャナ装置１００は、ＬＥＤ素子を備えている。ＬＥＤ素子は、定位置に固定されており、反射用光源２１５および透過用光源のそれぞれに対して光を照射する。ＬＥＤ素子は、反射用光源２１５および透過用光源の全体を照射するのではなく、反射用光源２１５および透過用光源の一部をそれぞれ照射する。
【００８９】
図８は、実施の形態２のスキャナ装置１００の光源点灯処理手順を示すフローチャートである。つぎに、図８を用いて、スキャナ装置１００の光源点灯処理手順について説明する。図８に示すフローチャートにおいて、まず、反射型の原稿あるいはフィルムの画像を読み取る指示操作がおこなわれることによる、読み取り指示があるまで待って（ステップＳ８０１：Ｎｏ）、読み取り指示があった場合（ステップＳ８０１：Ｙｅｓ）には、ＬＥＤ素子を点灯させる（ステップＳ８０２）。
【００９０】
つづいて、ステップＳ８０１：Ｙｅｓにおける読み取り指示が、反射型の原稿の読み取り指示であったか否かを判断する（ステップＳ８０３）。反射型の原稿の読み取り指示であった場合（ステップＳ８０３：Ｙｅｓ）には反射用光源２１５を点灯させて（ステップＳ８０４）、ステップＳ８０６へ移行する。一方、反射型の原稿の読み取り指示ではなかった場合（ステップＳ８０３：Ｎｏ）には透過用光源を点灯させて（ステップＳ８０５）、ステップＳ８０６へ移行する。
【００９１】
そして、ＬＥＤ素子を消灯させて（ステップＳ８０６）から、原稿の読み取り動作をおこなって（ステップＳ８０７）、一連の処理を終了する。ステップＳ８０７における読み取り動作とは、ステップＳ８０４を経由したかステップＳ８０５を経由したかに応じて、スキャナキャリッジ２２０に連動させて反射用光源２１５または透過用光源のいずれかを点灯させた状態でモータ２２２を駆動して、スキャナキャリッジ２２０を副走査方向に往復移動させる動作である。
【００９２】
上述したように、実施の形態２のスキャナ装置１００は、反射用光源２１５を用いた反射型の原稿の読み取りであっても、透過用光源を用いたフィルムの読み取りであっても、蛍光光源あるいは副蛍光光源における水銀やアルゴンなどのガスの蒸発を促進し、電極から飛び出した電子と水銀との衝突に起因する紫外線の発生を促進することで、反射用光源２１５および透過用光源のいずれも確実に点灯させることができる。
【００９３】
これによってスキャナ装置１００は、読み取り対象とする原稿の種類に拘わらず、原稿の読み取り動作に対する信頼性の向上を図ることができる。そして、これによって利用者は、画像読取装置を快適に利用することができる。
【００９４】
なお、実施の形態２においては、ＬＥＤ素子が定位置に固定されている場合について説明したが、これに限るものではない。ＬＥＤ素子は、所定範囲内で移動可能に設けられていてもよい。この場合、ＬＥＤ素子を点灯させた状態で移動させることで、ＬＥＤ素子が反射用光源２１５および透過用光源を照射する面積を広くすることができる。
【００９５】
これによって、反射用光源２１５および透過用光源における水銀やアルゴンなどのガスの蒸発を効果的に促進し、電極から飛び出した電子と水銀との衝突に起因する紫外線の発生を一層促進することで、反射用光源２１５および透過用光源を一層確実に点灯させることができる。
【００９６】
また、上述した実施の形態１および２では、透過用光源部３２１と撮像素子２１７とを単一のモータ２２２の駆動力によって駆動するようにしたが、これに限るものではない。透過用光源部３２１を移動させる駆動系と撮像素子２１７を移動させる駆動系とを設けて、透過用光源部３２１と撮像素子２１７とを個々に移動させてもよい。
【００９７】
また、上述した実施の形態１および２においては、反射型の原稿を照射する反射用光源２１５を備えるスキャナ装置１００について説明したが、これにかぎるものではない。図示を省略するが、この発明の画像読取装置は、たとえば、実施の形態２のスキャナ装置１００における反射用光源２１５を備えず、透過用光源のみを備え、フィルムの読み取りのみをおこなうスキャナ装置に適用してもよい。
【００９８】
このようなスキャナ装置においても、透過用光源における水銀やアルゴンなどのガスの蒸発を効果的に促進し、電極から飛び出した電子と水銀との衝突に起因する紫外線の発生を一層促進することで、透過用光源を一層確実に点灯させることができる。
【００９９】
これによってスキャナ装置は、フィルムの読み取り動作に対する信頼性の向上を図ることができる。そして、これによって利用者は、スキャナ装置を快適に利用することができる。
【０１００】
（実施の形態３）
つぎに添付図面を参照して、この発明にかかる複合機の好適な実施の形態３を詳細に説明する。この実施の形態３は、この発明にかかる複合機の実施例を示す。実施の形態３においては、上述した実施の形態１と同一部分は同一符号で示し、説明も省略する。
【０１０１】
図９は、実施の形態３にかかる複合機を示す斜視図である。実施の形態３にかかる複合機９００は、上述した実施の形態１または２で説明したスキャナ装置１００と、スキャナ装置１００が備える撮像素子２１７に入射された光の強弱に応じた画像を被記録媒体上に形成する画像形成装置としてのプリンタ９０１と、を備えている。
【０１０２】
スキャナ装置１００とプリンタ９０１とは、図示しない通信Ｉ／Ｆを介して相互通信可能に接続されている。スキャナ装置１００は、撮像素子２１７に入射された光の強弱に応じた画像データをプリンタ９０１へ出力する。
【０１０３】
プリンタ９０１は、紙などの被記録媒体に画像を形成するプリンタエンジンを備えている。公知の技術であるため図示および説明を省略するが、プリンタエンジンにおける画像形成方式は、たとえば、インクジェット方式、静電転写方式、昇華転写方式など、各種の方式を適用することができる。
【０１０４】
このような構成を備える複合機９００において、プリンタ９０１は、スキャナ装置１００から出力された画像データに基づいて、紙などの被記録媒体に画像を形成する。
【０１０５】
このような複合機９００によれば、スキャナ装置１００における透過用光源部３２１および撮像素子２１７を、単一のモータ２２２の駆動力を用いて連動させることができる。これによって複合機９００は、消費電力の増加および複合機の大型化を抑えながら、原稿を精度よく再現した画像を紙などの被記録媒体に形成することができる。また、これによって利用者は、消費電力を抑制した小型の複合機９００を使用して、高精度な画像データを得ることができる。
【図面の簡単な説明】
【０１０６】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】透過用光源部を示す分解斜視図。
【図５】連結機構を拡大して示す斜視図（その１）。
【図６】連結機構を拡大して示す斜視図（その２）。
【図７】スキャナ装置の光源点灯処理手順を示すフローチャート。
【図８】実施の形態２のスキャナ装置の光源点灯処理手順を示すフローチャート。
【図９】実施の形態３にかかる複合機を示す斜視図。
【符号の説明】
【０１０７】
１００  スキャナ装置、２１２  原稿台ガラス、２１５  反射用光源、２１７  撮像素子、３２１  透過用光源部、９０１  プリンタ、９００  複合機
【図１】
2007318589.tif 000003
【図２】
2007318589.tif 000004
【図３】
2007318589.tif 000005
【図４】
2007318589.tif 000006
【図５】
2007318589.tif 000007
【図６】
2007318589.tif 000008
【図７】
2007318589.tif 000009
【図８】
2007318589.tif 000010
【図９】
2007318589.tif 000011